Podtech/llm-jp-corpus-v4-ja_patent huggingface dataset:
(57)【要約】      （修正有）【課題】鳥が工場内に侵入することを防止するとともに、防止する物が、工場内ライン作業をスムーズに行える手段を提供する。【解決手段】出入口上部より、チェーン、又は布、細いビニールを等間隔に吊るす。それにより鳥の侵入を防ぎ、なおかつフォークリフト及び車などの、工場作業上必要な材料の出入りをスムーズに行うことが出来、尚且つ、鳥の糞公害が解消できる。  尚、チェーン、布、細いビニル等の間隔は、その工場での鳥類の種類により又、チェーン、布、細ビニル等は、出入り口を通る車（フォークリフト等）の種類により、スムーズに通過できる物を選択する。【選択図】図１
2010279346.tif 000002
【特許請求の範囲】
【請求項１】
大きな工場等に鳥類の侵入を防ぎ、なおかつ、車等の出入りが妨げられない出入り口にセットする物
【発明の詳細な説明】
【技術分野】
【０００１】  大きい工場等では、鳥類が、侵入し工場内に巣を作り糞公害に悩まされている。
【背景技術】
【０００２】  鳥の糞公害対策として、工場等内に鳥類が侵入できなく、なおかつ、工場使用の車が、出入りできる物でなけらばいけない。
【発明が解決しようとする課題】
【０００３】  そこで本発明は、鳥類が、侵入できなく、かつ工場等出入りの車が、スムーズに出入りできるものとした。
【課題を解決するための手段】
【０００４】  出入り口開口部上部からチェーン等を下まで鳥類が侵入できない巾で、等間隔にたらす。
【発明の効果】
【０００５】  これより鳥類は、侵入不可能になり、工場等使用の車は、スムーズに出入できるようになりました。それにより糞公害も解消されました。
【図１】
2010279346.tif 000003
【手続補正書】
【提出日】平成21年8月25日(2009.8.25)
【手続補正１】
【補正対象書類名】明細書
【補正対象項目名】全文
【補正方法】変更
【補正の内容】
【発明の詳細な説明】
【技術分野】
【０００１】  大きい工場等では、鳥類が、侵入し工場内に巣を作り糞公害に悩まされている。
【背景技術】
【０００２】  鳥の糞公害対策として、工場等内に鳥類が侵入できなく、なおかつ、工場使用の車が、出入りできる物でなけらばいけない。
【発明が解決しようとする課題】
【０００３】  そこで本発明は、鳥類が、侵入できなく、かつ工場等出入りの車が、スムーズに出入りできるものとした。
【課題を解決するための手段】
【０００４】  出入り口開口部上部からチェーン等を下まで鳥類が侵入できない巾で、等間隔にたらす。
【発明の効果】
【０００５】  これより鳥類は、侵入不可能になり、工場等使用の車は、スムーズに出入できるようになりました。それにより糞公害も解消されました。
【図面の簡単な説明】
【０００６】
【図１】チェーンをセットしたバードストッパーの正面からの側面図です。
【図２】布、又は、ビニールをセットしたバードストッパーの正面からの側面図です。
【図３】上部枠に取り付けるＬ型の金物です。
【符号の説明】  １          吊り下げチェーン  ２          吊り下げ布・ビニル等  ３          開口部上部取付金物（穴あき）
【手続補正２】
【補正対象書類名】図面
【補正対象項目名】全図
【補正方法】変更
【補正の内容】
【図１】
2010279346.tif 000004
【図２】
2010279346.tif 000005
【図３】
2010279346.tif 000006
(57)【要約】      （修正有）【課題】菓子類に包餡される一般的な餡を、魚卵状の餡に変えるとともに魚形状の包餡菓子を提供する。【解決手段】コンニャク芋を主原料としたマンナンビーズを用い、餡に作用させて膨潤させることにより魚卵状の餡を作成する。そしてその餡を包餡することにより、従来にない新しい食感を持った餡を包餡した菓子を作成する。【選択図】図１
2010279343.tif 000002
【特許請求の範囲】
【請求項１】
菓子等に包餡される餡を魚卵状の小さな粒の集合体とした餡とその製造方法。
【請求項２】
魚の形をした菓子に魚卵状の餡を包餡させた菓子。
【発明の詳細な説明】
【技術分野】
【０００１】  本発明は菓子に関するものであり、包餡された餡の形状を粒状に変えることにより新しいかたちの菓子を提供出来る様にしたものである。
【背景技術】
【０００２】  従来の包餡された菓子類の餡は、豆類  芋類  木の実等を糖類で練り上げ、ある程度の粘度を持ったものであり、又これらに一部果物のジャムを加えて作製したものもあるが、いずれも粘度の高い練り状製品である。現在、一般に流通している、鮎を模した  鮎焼き  又  鯛焼き  等の菓子においても、練り状の餡製品が包餡されている。
【発明の開示】
【発明が解決しようとする課題】
【０００３】  本発明は主に魚の形をした菓子において包餡する餡を魚卵状にする事を解決することを課題とする。
【課題を解決するための手段】
【０００４】  この課題を解決するための請求項１の発明は、餡を魚卵状の餡にするという課題解決のため、コンニャク芋を主原料として製造され一般に市販されているマンナンビーズを用い餡を作用させて膨潤させると餡を魚卵状にすることができる。【０００５】  また、請求項２の発明は魚の形をした菓子に魚卵状の餡を包餡させ今までにない感性とプチプチとした新しい食感の餡を持った菓子となっている。【０００６】  本発明により、従来の餡を包餡した魚の形をした菓子のイメージが  包卵した魚  という面白さと、従来にない新しい食感を持った餡を包餡した菓子を提供できる。
【発明を実施するための最良の形態】
【０００７】  包餡されて作られる菓子について注意を要する物性的な事として通常、焼成後の包餡となるか包餡後、焼成  又は蒸すという工程を経て完成される。従って包餡される魚卵状の餡は耐熱度、１００℃から１２０℃位が必要となる。この条件をクリアーするためコンニャク芋を主成分として製造されたマンナンビーズする事とし通常の魚卵の大きさ、０．３ミリから０，５ミリに合わせるため、粒子の径０．１ミリ程度のマンナンビーズを使用した。これはマンナンビーズが膨潤した時３倍位の大きさになるためである。
又、種々試作の結果マンナンビーズの残存香りを無くすため魚卵状餡の材料にヨーグルトと味噌を少量、使用する事とした。【０００８】  何度かの試作の結果以下の配合で良好な結果を得る事ができた。配合は柚子風味の魚卵状餡の配合例である。
味噌（裏ごしした物）      ３％
ヨーグルト                ２％
白餡                    ３８％
柚子ピユーレ（裏ごしした物）    ７％
水                      ５０％  
合計    １００％
この配合を９０℃から９５℃で調合した後、２倍量のマンナンビーズを加え攪拌し室温２５℃位まで冷却して１時間、静置すると調合液がマンナンビーズの膨潤に吸われて魚卵状の餡となった。【０００９】  この餡を用いて一般に市販されている鮎焼きの外皮生地を作り焼成後包餡、製品作製をおこなった。以下は一般的な鮎焼きの外皮生地の配合例である。
小麦粉（薄力粉）        ３４．００％
重曹                      ０．０４％
卵                      ２６．００％
砂糖                    ２８．００％
みりん                    ０．９６％
水                      １１．００％      
合計        １００．００％
以上の配合、工程で製作し良好な結果を得る事ができた。この事から同様な鯛焼き等にも応用できることが確実となった。
【産業上の利用可能性】
【００１０】  本発明に係る魚卵状餡は商業的に生産することが可能であるため商業上の利用可能性を有する。
【図面の簡単な説明】
【００１１】
【図１】  魚卵状餡を包餡させた鮎焼き  鯛焼きの平面視覚図で腹部を開き魚卵状餡の状態を表したものである。
【図１】
2010279343.tif 000003
(57)【要約】【課題】  水やりを失念したり、それが不可能な状態に置かれた際であっても、ある程度長時間、植物の生育に必要な量の水を補給でき、又根腐れしにくい植木鉢用の水やり補水器を提供する。【解決手段】  蓋付き水入れ容器の壁面の上部に複数個所の小穴を開け、各小穴に水やりのための毛細管現象を活用した吸水紐を通し、吸水紐の片端は蓋付き水入れ容器の中に垂らし、吸水紐のもう一方の先の部分は植木鉢の土中に埋め、植物の生育に必要な量の水を補給することを特徴とする水やり補水器。【選択図】図１
2010279340.tif 000002
【特許請求の範囲】
【請求項１】
蓋付き水入れ容器の壁面の上部に複数個所の小穴を開け、各小穴に水やりのための毛細管現象を活用した吸水紐を通し、吸水紐の片端は蓋付き水入れ容器の中に垂らし、吸水紐のもう一方の先の部分は植木鉢の土中に埋め、植物の生育に必要な量の水を補給することを特徴とする水やり補水器。
【発明の詳細な説明】
【技術分野】
【０００１】  この発明は、水やりが困難な状況下にあっても、ある程度長時間、植物に水を補給することが可能な、根腐れしにくい水やり補水器に関するものである。
【背景技術】
【０００２】  従来の植木鉢は、植物を枯れさせないために水を撒いても、水が土壌の中を真っ直ぐに落ちるので保水時間は短く、毎日水を撒く必要があった。
又、様々な保水用の装置が施されたものもある。
【参考文献１】
登録実用新案第３０３５１１２号
【参考文献２】
特開２００５−１０２６６５
【発明の開示】
【発明が解決しようとする課題】
【０００３】  参考文献１は、吸水芯により吸い上げた水を、一旦保水パットに移し、更に吸水芯により植木鉢の底部の排水孔より植木鉢内の土に水を移すアイデアであるが、植木鉢の底の穴は、植物の生長に必要な空気を通す大切な役割があり、その穴を塞ぐと水は吸収出来ても空気が入らないので、根腐れする恐れがある。
参考文献２は、本発明の出願人によって先に出願されたものであるが、水やりの方法が、二重植木鉢の外側と内側の鉢の間の隙間に入れた水を内側の鉢の壁に開けた穴を通して吸水性のある紐によって土に補水する手段である。
本発明は、紐によって土に補水する方法は同じであるが、貯水方法が蓋付き容器の中に貯水することに相違がある。
鉢植えの植物には、水を補給しなければならないが、うっかり水を撒くのを忘れたり、何日も家を留守にした場合、水を補給しないでおくと植物が枯れてしまう。そこで、そのような場合でも植物が枯れないように水を補給することを本発明は目的とする。
【課題を解決するための手段】
【０００４】  蓋付き水入れ容器の壁面の上部に複数個所の小穴を開け、各小穴に水やりのための毛細管現象を活用した吸水紐を通し、吸水紐の片端は蓋付き水入れ容器の中に垂らし、吸水紐のもう一方の先の部分は植木鉢の土中に埋める。
以上を特徴とする水やり補水器。
【発明の効果】
【０００５】  鉢植えの植物には、水を補給しなければならないが、うっかり水を撒くのを忘れたり、何日も家を留守にした場合、水を補給しないでおくと植物が枯れてしまうことがあるが、本発明を使用することにより、ある程度長時間保水されるので、植物が枯れることがない。
又、保水パットなどの追加部材も必要なく、コスト安であり、吸水芯で植木鉢の底の穴を塞ぐこともなく、根腐れの心配がない。
更に、二重植木鉢構造と違って、鉢は一つだけで済む。
【発明を実施するための最良の形態】
【０００６】  以下、本発明の実施の形態を説明する。
（イ）蓋（１）付き水入れ容器（２）の壁面の上部に複数個所の小穴（３）を開ける。小穴（３）の位置は、小穴（３）より上には水が溜まらないので、貯える水の量を多くするためなるべく高い方がいい。小穴（３）の直径は１５ｍｍ位で十分。
（ロ）各小穴（３）に水やりのための毛細管現象を活用した吸水紐（４）を通し、吸水紐（４）の片端（５）は蓋（１）付き水入れ容器（２）の中に垂らし、吸水紐（４）のもう一方の先の部分（６）は植木鉢（７）の土（８）の中に埋める。吸水紐（４）の長さは、水入れ容器（２）の内底より始まり、小穴（３）を通過し、植木鉢（７）内に入り、浅い所でも深い所でもかまわないが、土（８）の中にまんべんなく水がしみわたるように張り巡らせる長さが必要である。
（ハ）吸水紐（４）の太さは、植木鉢内の土の量や、植える植物によって必要とする水の量が異なるので、土の量が多かったり、多く水を必要とする植物には太い紐を、土の量が少なかったり、必要とする水が少なくてよい植物には細い紐でよい。普通直径３ｍｍから１０ｍｍ位の紐を適宜使用する。
吸水紐（４）の材質としては、実験的にみてアクリルなどがよい。
（ニ）水入れ容器（２）の中に、塵埃が入らぬように蓋（１）を被せる。
本発明は、以上のような構成である。
これを実際に使用するときは、
（イ）蓋（１）付き水入れ容器（２）内の水に、日光が当たると藻が発生するので、蓋（１）付き水入れ容器（２）は遮光性のある材料で作った方がいい。遮光性の無い材料で作った場合には、遮光性のあるテープを貼るとか、遮光性のある塗料を塗るとかした方がいい。
（ロ）本発明品は、植木鉢（７）内の土（８）の中に埋めて使用してもいいし、−図２ａ参照−植木鉢（７）の外に置いてもよい。−図２ｂ参照−
本発明品を植木鉢（７）内の土（８）の中に埋めるときは、小穴（３）が土（８）の表面より下にくる位置まで埋めた方がいい。小穴（３）が土（８）の表面より上になると吸水紐（４）が露出され、露出した部分から水が蒸発したり藻がついたりすることがある。
本発明品を植木鉢（７）の外に置くときは、吸水紐（４）が露出されるので、露出した部分から水が蒸発したり藻がついたりすることがあるから、その露出した吸水紐（４）の部分に、自在に曲がる弾力性を持った遮光性のある管を被せた方がいい。
（ハ）吸水紐（４）を埋めるには、まず水入れ容器（２）の中程まで土を入れ、その上に吸水紐（４）を張り巡らせ、更にその上に土を載せれば楽である。
（ニ）水入れ容器（２）の大小は貯水量に影響するので、補水時間も変わってくる。
（ホ）蓋（１）付き水入れ容器（２）に水を入れる。蓋（１）付き水入れ容器（２）内の水は、吸水紐（４）を伝って植木鉢（７）内の土（８）の中に入り、植物（９）に水を供給する。
【図面の簡単な説明】
【０００７】
【図１】  本発明の実施例を示す斜視図
【図２】  本発明の実施例図１の使用状態を示す斜視図  （ａ）植木鉢内の土中に埋めた場合  （ｂ）植木鉢の外に置いた場合
【符号の説明】
【０００８】      １  蓋
２  水入れ容器
３  小穴
４  吸水紐
５  片端
６  もう一方の先の部分
７  植木鉢
８  土
９  植物
【図１】
2010279340.tif 000003
【図２】
2010279340.tif 000004
(57)【要約】      （修正有）【課題】セルロースを含有する植物体から糖を効率よく得る方法を提供する。【解決手段】バイオマスとしてパルプかすを含んでなる、セルロースを含有する植物体を、セルロースの糖化酵素であるセルラーゼと、アミラーゼを添加して発酵させる糖化方法であり、前記植物体としては、木材、砂糖キビの茎、蔓性植物の茎、麦藁、稲藁、草等が例示され、該植物体を水に混合した混合液に、セルロースの糖化酵素とアミラーゼを加えて、９０〜９８℃で発酵させる糖化方法である。【選択図】なし【特許請求の範囲】
【請求項１】
パルプかすを含んでなる、セルロースを含有する植物体を、セルロースの糖化酵素でアミラーゼを添加して発酵させる糖化方法。
【請求項２】
前記植物体を水に混合した混合液に、セルロースの糖化酵素とアミラーゼを加えて、９０〜９８℃で発酵させる請求項１に記載の糖化方法。
【発明の詳細な説明】
【技術分野】
【０００１】
本発明は、セルロースを含有する植物体を糖化する糖化方法に関する。
【背景技術】
【０００２】
バイオエタノールの製造方法としては、例えば、バイオマスの水スラリーを圧力４〜４０ＭＰａに加圧し、加圧された水スラリーを火力発電装置のボイラから供給される蒸気と反応器内で熱交換させることにより前記圧力での飽和温度以下かつ２５０〜４００℃の範囲の温度に加熱して前記バイオマスに含有されるヘミセルロースおよびセルロースを加水分解して糖を生成し、生成された糖を発酵させる方法が知られている（例えば、特許文献１参照）。しかしこのような方法は高温加熱のための装置コストや加熱に要するエネルギーコストの点で必ずしも満足すべきものとはいえない。
【先行技術文献】
【特許文献】
【０００３】
[特許文献１]特開２００８−１８２９２５号公報  
【発明の概要】
【発明が解決しようとする課題】
【０００４】
本発明の目的は、セルロースを含有する植物体から糖を効率よく得る方法を提供しようとすることである。
【課題を解決するための手段】
【０００５】
本発明の要旨とするところは、パルプかすを含んでなる、セルロースを含有する植物体を、セルロースの糖化酵素でアミラーゼを添加して発酵させる糖化方法であることにある。
【０００６】
また、本発明の要旨とするところは、前記植物体を水に混合した混合液に、セルロースの糖化酵素とアミラーゼを加えて、９０〜９８℃で発酵させる前記糖化方法であることにある。
【発明の効果】
【０００７】
本発明によると、セルロースを含有する植物体から糖を効率よく得る方法が提供される。
【発明を実施するための形態】
【０００８】
本発明においては、バイオマスとしてセルロースを含有する植物体を用い、このセルロースを含有する植物体を発酵させる。発酵はセルロースの糖化酵素により行うが、このとき、アミラーゼを添加して発酵を行う。また、セルロースを含有する植物体は少なくともパルプかすが含有されている。セルロースを含有する植物体中のパルプかすの含有率は１０重量％（乾燥重量）以上であることが好ましい。
【０００９】
セルロースを含有する植物体としてはパルプかすのほかは特に限定されないが、パルプかすのほかのセルロースを含有する植物体としては、木材、砂糖キビの茎、蔓性植物の茎、麦藁、稲藁、草が例示される。木材としては木材チップ、パルプ、オカクズなどの形態のものが挙げられる。
【００１０】
セルロースの糖化酵素としては特に限定されないが、セルラーゼが挙げられる。
【００１１】
セルロースを含有する植物体は水と混合して混合液となし、この混合液にセルロースの糖化酵素またはセルロースの糖化酵素を含有する微生物と、アミラーゼまたはアミラーゼを含有する微生物とを加えて、９０〜９８℃で発酵させることが好ましい。この混合液にはさらに澱粉を含有する植物体が添加されていてもよい。澱粉を含有する植物体としては米糠、葛の茎などが例示されるがこれらに限定されない。
【００１２】
この混合液は水１００重量部に対してセルロースを含有する植物体５〜２０重量部（乾燥重量）が混合されたものであることが好ましい。
【００１３】
セルラーゼ、アミラーゼの添加量は例えばセルロースを含有する植物体に対する重量比でそれぞれ０．０１〜１重量％であることができるが、発酵の速度などを考慮してこの範囲に限定されず適宜設定される。
【００１４】
セルラーゼとしては市販の酵素が好適に用いられる。例えば、天野エンザイム（株）のセルラーゼＡ「アマノ」３（登録商標）、セルラーゼＴ「アマノ」４（登録商標）、ヤクルト薬品工業（株）のセルラーゼＹ−ＮＣ（登録商標）、セルラーゼ”オノズカ”３Ｓ（登録商標）、エイチビィアイ（株）のセルロシンＴ２（登録商標）、セルロシンＡＬ（登録商標）、セルロシンＡＣ４０（登録商標）などが挙げられるが、セルロースを分解するセルラーゼであれば特に上記に限定されるものではない。
【００１５】
アミラーゼとしては市販の酵素が好適に用いられる。例えば、大和化成（株）製のクライスターゼＴ１０Ｓ（登録商標）、クライスターゼＬ１（登録商標）、クライスターゼＰ８（登録商標）、コクゲンＳＤ−Ａ（登録商標）、コクゲンＬ（登録商標）、コクゲンＳＤ−Ｔ（登録商標）、コクゲンＳＤ−ＴＣ３（登録商標）、天野エンザイム（株）のアミラーゼＡＤ「アマノ」１（登録商標）、ビオザイムＡ（登録商標）、ビオザイムＦ１０ＳＤ（登録商標）、ナガセケムテックス（株）のスピターゼＰＮ４（登録商標）、ヤクルト薬品工業（株）のユニアーゼＢＭ−８（登録商標）などが挙げられるが、デンプン分解酵素として用いられるアミラーゼであれば特に上記に限定されるものではない
【００１６】
本発明により、高濃度の糖水溶液を得ることができる。例えば、糖度５〜１２．７％の水溶液を得ることができる。
【実施例】
【００１７】
実施例１
まず、前処理として、水３００ｃｃに濃度３３重量％の水酸化カリ水２０ｃｃを加えた液に木材チップ１０ｇを１０時間浸漬したのち取り出した。この木材チップ１０ｇと、パルプかす１０ｇを５００ｃｃの水に投入し、アミラーゼ（ノボザイムズ
ジャパン株式会社製）５ｃｃ、セルラーゼ（ヤクルト薬品工業（株）：セルラーゼＹ−ＮＣ）０．２ｇを加え、さらにクエン酸を少量加えて、水のＰＨが７になるように調整し、９５℃で１時間攪拌した。これにより、水が蒸発し、残留する水は１５０ｃｃであった。この残留する水の糖度は屈折糖度計（ＡＴＡＧＯ）社製：ＰＯＫＥＴ  ＲＥＦＲＡＣＴＭＥＴＯＲ）で測定して１２．７％であった。
(57)【要約】【課題】  地球温暖化は、人間の生活を脅かし、環境体系まで変えようとしている、その地球温暖化の原因の一つに二酸化炭素がある。今すぐ地球温暖化を食い止めなくてはいけないことは、議論を待たない。真先に、必要外の二酸化炭素を、空気中から採らなくてはならない。子や孫のため、いや、今日のためにも、我々の手で、一刻も早く、温暖化を食い止めなければ手遅れになる。【解決手段】  出来る限りエネルギーを使わず、焼却後に必然的に出る灰を活用し、空気中から二酸化炭素を採る。その方法として、灰の混入液に圧力を加え、空気または、焼却の排気を通し、二酸化炭素を灰による、炭化化合結晶物にして、二酸化炭素を採る。【選択図】  図１
2010279894.tif 000002
【特許請求の範囲】
【請求項１】
物を焼却した後の、灰による二酸化炭素固定システム。
【請求項２】
ま水に、物を焼却した後の灰を混入し、空気を注入して二酸化炭素を取る、ま水と、灰による二酸化炭素固定システム。
【請求項３】
温泉水に,物を焼却した後の灰を混入し、空気を注入して二酸化炭素を取る、温泉水と、灰による二酸化炭素固定システム。
【請求項４】
雪に、物を焼却した後の灰を混入し、空気を注入して二酸化炭素を取る、雪と、灰による二酸化炭素固定システム。
【請求項５】
海水に、物を焼却した後の灰を混入し、空気を注入して二酸化炭素を取る、海水と、灰による二酸化炭素固定システム。
【請求項６】
請求項２，３，４．５に圧力を加えて、二酸化炭素を取る、灰による二酸化炭素固定システム・
【請求項７】
請求項２，３，４．５、６のシステムに、直接、焼却排気口からの、排気を注入して、二酸化炭素を取る。灰による二酸化炭素固定システム。
【請求項８】
請求項１、２，３，４．５、６、７のシステムは、焼却炉と接合する事もできるシステム。灰による二酸化炭素固定システム。
【請求項９】
請求項１、２，３，４．５、６、７のシステムは、焼却炉と融合する事もできるシステム。灰による二酸化炭素固定システム。
【請求項１０】
請求項１、２，３，４．５、６、７のシステムは、焼却炉と遠隔地に設置する事もできるシステムで、灰による二酸化炭素固定システム。
【発明の詳細な説明】
【技術分野】
【０００１】
本発明は、二酸化炭素削減方法の分野である。
【背景技術】
【０００２】
焼却すれば、当然のごとく二酸化炭素が出る。それと同時に灰も出る。出る二酸化炭素を、出る灰を活用して、二酸化炭素を取る技術である。
【先行技術文献】
【特許文献】
【０００３】
【特許文献１】特開２００８―２８５３９２
【特許文献２】特開２００１−０７９３４２
【発明の概要】
【発明が解決しようとする課題】
【０００４】
地球温暖化の元凶の、二酸化炭素を削減する。
【課題を解決するための手段】
【０００５】
二酸化炭素を、灰を活用して固定する。
【発明の効果】
【０００６】
地球温暖化を食い止める。
【図面の簡単な説明】
【０００７】
【図１】は固定槽に灰を混入して二酸化炭素などを、固定するシステムの、標準断面図である。
【図２】は
【発明を実施するための形態】
【０００８】
産業廃棄物の灰と、火力発電の副産物として出る灰を活用する。
【０００９】
各灰を分別して活用すればより効果的である。
【実施例】
【００１０】
弘前市の貯雪槽で実施した。
【産業上の利用可能性】
【００１１】
物を焼却した後の灰、特に産廃焼却物の灰と、火力発電の灰、などを有効活用して、焼却時に出る二酸化炭素以上の二酸化炭素を固定できるので、特に産廃焼却炉や、火力発電炉に、活用できる。
【符号の説明】
【００１２】
イ、混入液
ロ、灰投入口
ハ、ポンプ
二、エアー圧力ポンプ
ホ、圧力仕切り弁
へ、混入槽
ト、圧力槽
チ、沈殿誘発装置
リ、沈殿槽
ヌ、濾過分離槽
【図１】
2010279894.tif 000003
【図２】
2010279894.tif 000004
(57)【要約】 【課題】本発明は、磁力を利用した効率の良いロータリー式モーターを提供する。【解決手段】ロータリー式モーターはロータハウジング周面に電磁コイルを配置し、制御機能によって、磁力発生を制御する。サイドハウジング側面に電磁コイルを配置し、制御機能によって、磁力発生を制御する。回転部のロータには永久磁石を配置している。ハウジングとの面接触が無く浮遊状態となる。ハウジングのコイルに磁力を発生させるとロータの磁石と反発および吸引を繰り返しロータが回転し、遊星運動により出力軸に出力される、またコイル配置部に冷媒を注入する事により、コイル抵抗が減少し超伝導状態となるモーターを提供する。【選択図】図１
2010279237.tif 000002
【特許請求の範囲】
【請求項１】
トロコイド形状を有するロータハウジング部に磁力発生体を配置し、その両側を挟むサイドハウジングに磁力発生体を配置、その内部を遊星運動するロータに磁気体を配置する事を特長とするロータリー式モーター。
【請求項２】
トロコイド形状を有するロータハウジング部と、その両側を挟むサイドハウジングに、冷却用冷媒を注入し磁力発生体を冷却する事を特長とするロータリー式モーター。
【請求項３】
トロコイド形状を有するロータハウジング部の内面に磁力発生体を配置しその両側を挟むサイドハウジングに磁力発生体を配置、その内部を遊星運動するロータに磁気体を配置する事を特長とするロータリー式モーターで、その一部を発電用として用いる事ができる。
【発明の詳細な説明】
【技術分野】
【０００１】
本発明は、電磁コイルを配置した、トロコイド内周面をもつロータハウジングと両側のサイドハウジングとで形成される空間内を、磁石を配置した、ロータが、ロータハウジング内周を遊星回転運動を行うロータリー式モーターに関するものである。          
【背景技術】
【０００２】
従来の電動モーターは、出力を増大させる為に、コイルやコアなどの構造上その重量が重くなる欠点があり、その重量増加による消費電力の増加も大きく、コイルの発熱により電気抵抗が増大し、電圧降下による電力消費効率も悪化している。
【０００３】
従来の内燃式ロータリーエンジンは、高出力、低振動など利点が多いエンジンなのだが、シール関係の耐久性に問題があり長期使用に不都合が生じる場合が有る、また化石燃料を使用する為、排出ガスによる環境問題にも起因している。
【先行技術文献】
【非特許文献】
【０００４】
【非特許文献１】大関  博  監修  「ロータリーエンジンの20年」
【発明の概要】
【発明が解決しようとする課題】
【０００５】
したがって、従来の電動モーターの高出力による重量増大、消費電力増大、出力軸の効率不良の問題を、内燃式ロータリーエンジンの利点を活かしつつ、小型化、低消費電力、出力軸の高効率、排出ガスによる環境問題、エネルギー問題を解決する、ロータリー式モーターを提供することを目的としているものである。
【課題を解決するための手段】
【０００６】
イ）ロータハウジングに磁力発生コイルを配置し制御機能によって、磁力発生を制御する。
ロ）サイドハウジングに磁力発生コイルを配置し制御機能によって、磁力発生を制御する。
ハ）ロータに磁石を配置する。
ニ）ハウジング部に冷媒を注入しコイルの冷却を促進する。
ホ）部材の組み合わせにより超伝導状態となしうる。
ヘ）多重化による２ロータ、３ロータと増設可能。
ト）ハウジングのコイルとロータの磁石により発電する。
本発明は、以上の構成よりなるロータリー式モーターである。
【発明の効果】
【０００７】
本発明によれば化石燃料を使用するロータリーの特性を活かしつつ、ハウジングとロータの周面とサイド部分にコイルと磁石を配置する為、完全電動化し、３面によって磁力が制御され、ハウジングとの面接触が無く浮遊状態となり、ロータが回転する。ハウジング部に冷媒を注入するためコイルの熱対策にも対応でき、通常のモーターより小型化、消費電力の削減、排気ガスの削減がなされ、より効率の良いロータリー式モーターを提供できる。
【０００８】
ロータリー式モーターはロータが回転し、回転運動が位相歯車により遊星運動し出力軸へ出力される為、低回転による高出力のロータリー式モーターを提供できる。
【図面の簡単な説明】
【０００９】
【図１】ロータリー式モーターの構成図である。
【図２】ロータリー式モーターの横断面図である。
【図３】ロータリー式モーターの縦断面図である。
【図４】ロータリー式モーターの縦列図である。
【図５】ロータハウジングの一部を切り取った断面図である。
【図６】サイドハウジングの一部を切り取った断面図である。
【発明を実施するための形態】
【００１０】
以下、本発明の実施形態を図に基づいて説明する。
【実施例１】
【００１１】
この発明によって行われることは、図２ロータハウジング内周部２ｃに設けられたコイルによって磁力が発生し、ロータ１２ｍに設置された磁石を反発と吸引によって回転モーメントに変えていく。
【００１２】
この発明によって行われることは、図３サイドハウジング内面３ｃに設けられたコイルによって磁力が発生し、ロータ１３ｍに設置された磁石を反発と吸引によって回転モーメントに変えていく。
【００１３】
この発明によって行われることは、図１ハウジング２と、サイドハウジング３と、ロータ１のセットを増設し、図４のように２ロータ、３ロータと増やせ、より効率の良いロータリー式モーターとなる。
【００１４】
この発明によって行われることは、図１セットの一部を発電用に用いる事が出来る。
【００１５】
この発明によって行われることは、ハウジング２、３に設けられたコイルによって磁力が発生するが、コイル設置部、図５、図６に冷媒、２ｗ、３ｗを注入する事により、コイルを冷却しコイル抵抗を軽減する事が出来る。
【００１６】
この発明によって行われることは、ハウジング２、３に設けられたコイル、２ｃ、３ｃの部材の組み合わせにより、超伝導状態へと導く事がなしうる。
【符号の説明】
【００１７】
１  ロータ
１ａ  ロータ外周部
１ｄ  ロータ側面部
２  ロータハウジング
２ａ  ロータハウジング内周部
２ｂ  ロータハウジング外周部
２ｃ  ロータハウジング磁力発生体
２ｗ  ロータハウジング冷媒
３  サイドハウジング
３ａ  サイドハウジング側面
３ｂ  サイドハウジング外周部
３ｃ  サイドハウジング磁力発生体
３ｗ  サイドハウジング冷媒
１２ｍ  ロータ外周磁気体
１３ｍ  ロータ側面磁気体
【図１】
2010279237.tif 000003
【図２】
2010279237.tif 000004
【図３】
2010279237.tif 000005
【図４】
2010279237.tif 000006
【図５】
2010279237.tif 000007
【図６】
2010279237.tif 000008
(57)【要約】【課題】  地球温暖化は、人間の生活を脅かし、環境体系まで変えようとしている、その地球温暖化の原因の一つに二酸化炭素がある。今すぐ地球温暖化を食い止めなくてはいけないことは、議論を待たない。真先に、必要外の二酸化炭素を、空気中から採らなくてはならない。子や孫のため、いや、今日のためにも、我々の手で、一刻も早く、温暖化を食い止めなければ手遅れになる。【解決手段】    出来る限りエネルギーを使わず、土を活用する。土には大きく分けて、鉄分を多く含んだ赤土と、腐敗土と、シルド粘土、侵食砂質土、等がある。それらの、土の分子と含有ミネラル分子に二酸化炭素を結合させて、空気中から二酸化炭素を採る。その方法として、土を魂状にした状態に、空気を摩触させて、空気中の二酸化炭素を土の分子に結合させて、二酸化炭素を採る。【選択図】  図１
2010279919.tif 000002
【特許請求の範囲】
【請求項１】
土を、細粒にせず、租粒にし、すべてに通風ができる程度(魂)までに砕き、それを、防水シートまたは、防水反射シートで、密封状態に覆い、その中に空気を送り込んで、二酸化炭素を結合させる、土による二酸化炭素固定システム。
【請求項２】
土を、細粒にせず、租粒にし、すべてに通風ができる程度(魂)までに砕き、それを、入れ物に入れ密封状態にし、空気を送り込んで二酸化炭素を結合させる、土による二酸化炭素固定システム。  
【請求項３】
赤土、または、鉄分と湿気を含んだ赤土を、細粒にせず、租粒にし、すべてに通風ができる程度(魂)までに砕き、それを、防水シートまたは、防水反射シートで密封状態に覆い、その中に空気を送り込んで、二酸化炭素を結合させる、土による二酸化炭素固定システム。
【請求項４】
赤土、または、鉄分と湿気を含んだ赤土を、細粒にせず、租粒にし、すべてに通風ができる程度(魂)までに砕き、それを、入れ物に入れ密封状態にし、空気を送り込んで二酸化炭素を結合させる、土による二酸化炭素固定システム。  
【請求項５】
黒土、または、鉄分と湿気を含んだ腐敗土を、細粒にせず、租粒にし、すべてに通風ができる程度(魂)までに砕き、それを、防水シートまたは、防水反射シートで密封状態に覆い、その中に空気を送り込んで、二酸化炭素を結合させる、土による二酸化炭素固定システム。
【請求項６】
黒土、または、鉄分と湿気を含んだ腐敗土を、細粒にせず、租粒にし、すべてに通風ができる程度(魂)までに砕き、それを、入れ物に入れ密封状態にし、空気を送り込んで二酸化炭素を結合させる、土による二酸化炭素固定システム。
【請求項７】
粘土、または、鉄分と湿気を含んだシルド粘土を、細粒にせず、租粒にし、すべてに通風ができる程度(魂)までに砕き、それを、防水シートまたは、防水反射シートで密封状態に覆い、その中に空気を送り込んで、二酸化炭素を結合させる、土による二酸化炭素固定システム。
【請求項８】
粘土、または、鉄分と湿気を含んだシルド粘土を、細粒にせず、租粒にし、すべてに通風ができる程度(魂)までに砕き、それを、入れ物に入れ密封状態にし、空気を送り込んで二酸化炭素を結合させる、土による二酸化炭素固定システム。
【請求項９】
請求項１、２、３、４、５、６、７、８で空気を送り込むときに、圧力を加えた空気を、送り込んで二酸化炭素を結合させて、土による二酸化炭素固定システム。
【発明の詳細な説明】
【技術分野】
【０００１】
本発明は、二酸化炭素削減方法の分野である。
【背景技術】
【０００２】
土には、鉄分をはじめ多くのミネラルが含まれている。それらに、二酸化炭素を結合させて、二酸化炭素を取る技術である。
【先行技術文献】
【特許文献】
【０００３】
【特許文献１】特開２００８―２８５３９２
【特許文献２】特開２００１−０７９３４２
【発明の概要】
【発明が解決しようとする課題】
【０００４】
地球温暖化の元凶の、二酸化炭素を削減する。
【課題を解決するための手段】
【０００５】
二酸化炭素を、土を活用して取る。
【発明の効果】
【０００６】
地球温暖化を食い止める。
【図面の簡単な説明】
【０００７】
【図１】は、地面の土を魂状に掘り、その上を防水シートまたは、防水反射シートで覆い空気を魂状に掘った土に、空気を万遍無く通し、二酸化炭素を取るシステム。
【図２】魂状の土を入れ物に入れ、空気を万遍無く通し、二酸化炭素を取るシステム。
【発明を実施するための形態】
【０００８】
土を、細粒にせず、通風ができる程度に砕き、空気を送り込んで二酸化炭素を結合させる。湿気が少しあり、鉄分を多く含んだ土が良い。
【実施例】
【０００９】
青森県弘前市の貯雪槽で実施した。
【産業上の利用可能性】
【００１０】
どこでも可能であるが、アフリカ大陸の内陸部では、鞴(ふいご)を活用すれば、機械動力を使わず人力だけで出来、二酸化炭素取引事業にもなり、二酸化炭素固定後は、農地としても活用できる。このサイクルを何度でも活用できる。
【符号の説明】
【００１１】
イ  空気の流れ方向
ロ  空気取り入れ口
ハ  空気排出口
二  土魂
ホ  人力送風器
ヘ  地面
ト  風力器
チ  太陽発電器
リ  動力送風器
ヌ  防水シートまたは、防水反射シート
【図１】
2010279919.tif 000003
【図２】
2010279919.tif 000004
(57)【要約】【課題】本発明は、木質粉炭に、木酢液を混合和してなる有機質汚泥の悪臭防止基材開発である。食品残渣汚泥、生活汚泥、農業汚泥、産業汚泥、畜産汚泥、下水汚泥等から起因する有機質汚泥の悪臭防止は、有機質汚泥分解技術を提供することにある。しかも、高度な設備費用を必要としない容易に製造できることを特徴とした。【解決手段】木酢液、木質粉炭を製法加工、物理的処理をすることによって多孔質化が実現できた。有機質汚泥の悪臭分解消滅処理剤は能力技術の開発である。蛋白質の腐敗、動物の排泄物質等の分解、吸着分解、有害物質の吸着、静菌作用等、有効微生物の生息環境を整えることによって優れた効果を発揮する。産業上の利用拡大の観点からすると、多孔質の天然素材の木質粉炭、珪藻土、ゼオライトに単一又は複合として木酢液を適量割合に混合和とした技術は悪臭を分解し、雑菌の繁殖に防止効果を提供する。本発明は、環境改善、環境保護、環境保全に貢献することを特徴とする。【特許請求の範囲】
【請求項１】
木質粉炭の多孔質構造に、木酢液を適量割合に混合をし食品残渣汚泥、家畜汚泥、下水汚泥等の有機質汚泥の悪臭防止。
【請求項２】
木質を粉炭処理、加熱、乾燥処理を施したことを特徴とする。
【請求項３】
木質粉炭に木酢液を混合和してなる好気性菌の繁殖培養助長を可能とすることを特徴とする。
【請求項４】
請求項１〜３を産業上の利用拡大の観点からすると珪藻土、ゼオライトを単一又は複合にて適量割合に混合和使用することにより、さらに汚泥の悪臭防止の範囲拡大を特徴とする。
【発明の詳細な説明】
【技術分野】
【０００１】本発明は、木酢液を多孔質体に含浸させることにより、有機質汚泥の悪臭を分解し、低減を特徴とする。食品残渣汚泥、家畜汚泥、下水汚泥等からの悪臭防止、浄化処理用基材ならびにその製造方法に関する。
汚泥分解に係わる処理技術の向上を図ることにより、環境改善、環境保護、環境保全に寄与する。
【背景技術】
【０００２】食品残渣汚泥、家畜汚泥、下水汚泥等の混雑により環境悪化が進んでいることから、悪臭、問題が起きている。
対策として設備、機材が投入されているものの、十分な処理対策にいたっていない。【０００３】木質粉炭を独自製法加工で物理的処理工程の処理用基材とする方法。
【発明の開示】
【発明が解決しようとする課題】
【０００４】本発明は、木質粉炭の多孔質化処理をすることにより、好気性菌の繁殖宿培養によって浄化効果が得られる。
その浄化処理基材とその製造方法の発明。
汚水、化学物質、リン、チッソ、アンモニアなどの汚れを吸着し微生物、細菌類を自然分解させることにより微生物担体の栄養分に変えることにより分解浄化することで自然環境の保護を試み為される。【０００５】木質粉炭は、森林間伐材、道路工事、流木、解体工事等の木材資源の有効活用を図ることによる、資源リサイクルの貢献になる。
この資源リサイクルは、環境ホルモンを含む処理用途に拡大できる。【０００６】本発明は、木質粉炭の有用性を環境改善剤としての提供を目的とする。
【課題を解決するための手段】
【０００７】悪臭防止については、数多くの提案がなされ実用化されているものの、設備投資と多大なる費用と人力を必要としたが、成果に至っていない。
また、汚水が河川に放出され自然汚染や二次製品による環境破壊、水質汚染、悪臭に問題があった。【０００８】木質粉炭を多孔質にすることでの効果は、表面積、空隙率の多孔質構造機能を活用したことを特徴とする。
本発明の有機質汚泥の悪臭防止方法は、汚泥を消化消滅、吸収分解浄化することで環境汚染はない。【０００９】本発明の有機質汚泥の悪臭防止は、資源循環型社会の有効な推進とする。【００１０】本発明によって食品残渣汚泥、汚水汚泥、産業汚泥、畜産業のし尿処理においても対応し悪臭防止は確立された。
【発明の効果】
【００１１】天然素材の木質粉炭に木酢液を混合和してなる好気生菌は有用な特徴と細孔部に吸着保持された微生物の相乗効果による環境改善剤を得ることができた。
天然資源が有する特性から、独自効果の大きい作用が発見された。【００１２】さらに環境改良剤として、持続的効果の得られることが発見された。【００１３】有用な微生物が多孔質体に付着、浸潤され有機質汚泥の分解処理ができた。
本発明による有機質汚泥の悪臭防止処理剤は、安全性、経済性ともに優れ、低コストでしかも実用に優れた環境用剤を供することができた。
【発明を実施するための最良の形態】
【００１４】本発明の木質粉炭を有機質汚泥に接触することで吸着、付着され固液分解によるＢＯＤ減少反応がおきる。有機質汚泥および有害物質が分解された。【００１５】さらに、有機質汚泥の悪臭防止、固液分解のＳＳ，ＢＯＤは水分反応をした。。【００１６】このことは、醗酵分解消化の条件から無数の菌、微生物菌が発生した。【００１７】発生した菌、微生物菌は、ＳＳ，ＢＯＤ源を分解消化によって二酸化炭素や水に分解され悪臭防止となった。【００１８】このような多面性のある物質反応によって水となり悪臭防止がなされた。【００１９】本発明の有機質汚泥の悪臭防止剤は天然素材物質をベースとする。
【産業上の利用可能性】
【００２０】本発明に係る有機質汚泥の悪臭防止剤は、食品残渣汚泥、汚水汚泥、生活汚泥、農業汚泥、産業汚泥、家畜汚泥、下水汚泥等の有機質汚泥に微生物の有機物の分解作用が働き、汚泥を低減分解し悪臭防止効果を提供する。
珪藻土、ゼオライトを単一又は複合としての適量割合での混合和技術でもって悪臭防止効果を得たことから産業上の利用範囲が拡大された。
〔書類名〕図書
【表１】
2010279940.tif 000002
【表２】
2010279940.tif 000003
(57)【要約】【課題】珪藻土、ゼオライトの細孔構造、多孔質体は表面積の大きいのを特徴とする。その持ち合わせた素材の活用をもって活性吸着剤とする。【解決手段】細孔構造、多孔質体の珪藻土、ゼオライトに食用油、廃油等の油類を吸着させ加熱することにより付着し炭化され、活性吸着剤が完成される。【特許請求の範囲】
【請求項１】
多孔質の珪藻土に炭素を付着させた活性吸着剤。
【請求項２】
多孔質のゼオライトに炭素を付着させた活性吸着剤。
【請求項３】
珪藻土、ゼオライトに油類を含浸し、加熱することで炭素を付着させる活性吸着剤および製造方法。
【請求項４】
請求項１，２，３の吸着剤が燃料になる製造方法。
【発明の詳細な説明】
【技術分野】
【０００１】珪藻土、ゼオライトの細孔構造、多孔質体の素材を特徴とした天然素材活用。【０００２】本活性吸着剤は、環境再生と保全、産業開発に貢献をする。。
【背景技術】
【０００３】細孔構造を多く持つ多孔質体は吸着性が強い。【０００４】従来、活性吸着剤として、ヤシガラ破砕炭、木質粉末炭、石炭系ペレット、石炭系粉末炭などが利用されている。
【発明の開示】
【発明が解決しようとする課題】
【０００５】従来の活性吸着剤は、使用前、使用後の処理において、経済上および環境汚染上に難点がある。【０００６】活性吸着剤を高温化に活用する場合は、より微細に、より多くの表面積をもっての素材を燃焼することで効果が発揮された。【０００７】天然素材の珪藻土、ゼオライトを基材にした活性吸着剤は活用されていない。
【課題を解決するための手段】
【０００８】細孔構造、多孔質体素材に油液を含浸し燃焼加熱することで細孔構造部分に炭素が付着され多孔質体を基材とした活性吸着剤を製造することが出来る。【０００９】本発明における活性吸着剤は浄化機能があり、その表面積の大きさの特性が塩素除去機能、除菌機能、消毒機能をなし、その効果の活用を特徴とした。
【発明の効果】
【００１０】本発明は、珪藻土、ゼオライト素材の多孔質と表面積の大きさの特徴を活用とした。
活性吸着剤技術は、高性能が発揮され、安価に、しかも製造工程は特別な技術を要しないのが特徴。【００１１】本発明の活性吸着剤は、多孔質体に含浸させる油液であり、環境浄化に取り組むことができる。【００１２】多孔質体は埋蔵量の多い天然素材の珪藻土、ゼオライトを用いることから安定供給、しかも安価である。【００１３】本発明の原料は天然素材であり、有害物質は発生しない。【００１４】本発明の製造技術は単純であり高度技術を要しない。しかも先進的な環境浄化に貢献する。
【発明を実施するための最良の形態】
【００１５】本発明品は、加熱によって製品となる。
燃やすと燃料になるのが特徴である。【００１６】油液の混合成形から成り付着することでの形態である。【００１７】多孔質体に油液を含浸させる合理的な成形が特徴。【００１８】この実施例については多孔質体の細孔構造や表面化学特性の部分に炭素を付着とした特異性の活性吸着剤であり、浄化装置に関する技術を特徴する。
【産業上の利用可能性】
【００１９】活性吸着剤の素材性能が交通事故や災害、工場での事故などから発生する油の流出事故や特定化学物質や化学液体流出事故などの緊急時において、吸着剤を利用できることから本発明の在庫自体が緊急用の備えとなる。【００２０】活性吸着剤の常温固化が可能であることから運搬、工程、取扱が有用に活用できる。【００２１】機械のある工場や、車の整備場、ガソリンスタンドなど油の流出が常時起きる場所では常備することで環境に負荷を与えない。【００２２】環境の負荷を考慮したボイラー、焼却炉、燃焼炉を同時活用することで第一段階の油液吸着済みを燃料としての熱量への利用や、第二段階の炭化済み素材を炉の高温化への利用、第三に燃焼残渣を再度吸着剤として利用できることを特徴とする。
(57)【要約】【課題】ドライヤーだけでは部分的にしか温風があたらず、熱を保つことができないため髪を乾かすのに時間がかかる。  しかし従来の美容院にあるような温風機械では置き場所をとるので邪魔になり使いにくい。また、頭を動かさずに使用するので、水分をとばすことができない。そこで、髪を早く乾かし、ドライヤーにかける時間を短縮するための、置き場所をとらないドライヤーの補助用具を提供する。【解決手段】ドライヤーの温風を本発明品のフードの中の髪にあて、頭を振り動かし、水分をとばしながら、髪全体に温風を行渡らせ、早く乾かす。  壁に掛けて使用し、使用後は下半分を持ち上げて折りたたみ、フードを収納することができるので、置き場所をとらない。【選択図】図１
2010279562.tif 000002
【特許請求の範囲】
【請求項１】
ドライヤーの温風を覆い、熱を保つためのフードを備え、頭を振り動かして水分をとばし、温まった空気を髪全体に効率よく行渡らせ、髪を早く乾かすための、ドライヤーの補助用具。
【請求項２】
壁に掛けて使用し、使用後は折りたたんでフードを収納することで置き場所をとらない、請求項１記載のドライヤー補助用具。
【発明の詳細な説明】
【技術分野】
【０００１】
本発明は、置き場所をとらずに髪を早く乾かすためのドライヤーの補助用具に関する。
【先行技術文献】
【非特許文献】
【０００２】
【発明の概要】
【発明が解決しようとする課題】
【０００３】
ドライヤーだけでは部分的にしか温風があたらず乾きにくい。
【０００４】
従来の美容院にあるような頭にかぶる温風機械では置き場所をとるので邪魔になり使いにくい。
【課題を解決するための手段】
【０００５】
ドライヤーの温風を補助用具で覆うことによって、ドライヤーの熱を髪全体に効率よく行渡らせる。
【０００６】
壁にかけて使用し、使用後は折りたたんでフードを収納することができる。また、金具の掛ける位置を変えることで身長の違う人も使用できる。
【発明の効果】
【０００７】
本発明品を使用することで、早く乾き、時間と電気代の節約が出来る。
【０００８】
また、体が温まり快適に寝ることが出来る。
【０００９】
壁に掛けて使用し、使用後は折りたたんでフードを収納することが出来るので、置き場所をとら      ず誰でも使用できる。    
【図面の簡単な説明】
【００１０】
【図１】図１はドライヤー温風カバーの概略図
【図２】図２は折りたたんでフードを収納した形態
【図３】図３は横から見た形態
【発明を実施するための形態】
【００１１】
生地を縫製後、芯になるものを通すことで図１のようなフードを形作る。使用後は下半分を持ち            上げて折りたたみ、図２のようにフードを収納できるようにする。また、上部には壁に掛けるための金具をとりつける。
【実施例】
【００１２】
身長にあわせて金具の掛ける位置を変え、頭がフードに入るよう調節する。  フードの中の髪にドライヤーの温風を当て  頭を振り動かし、水分をとばしながら髪全体に温風を行渡らせ、乾かす。
【００１３】
使用後は下半分を持ち上げて折りたたみ、フードを収納できる。
【符号の説明】
【００１４】
１  フード
２  壁に掛ける金具
３  土台
【図２】
2010279562.tif 000003
【図３】
2010279562.tif 000004
【図１】
2010279562.tif 000005
(57)【要約】【課題】浴槽に溜める水の節水を目的とし、座り心地、高齢者また体の不自由な人の為の補助器具や本発明自体が保温器具になるもの、風呂の湯を保温するものを提供する【解決手段】本発明による上記課題の解決手段は、本発明〔ゴム又はビニールのような袋状のものの中に充填材を入れたもの図１（この袋状のものと充填材はそこに加えられた加重に対してその形が追従するもの）または、袋状の外見と充填材の中身とを分けずに一体となったもの図２（この材質も加えられた加重に対してその形が追従するもの）〕を浴槽に入れることでその体積分の節水効果を発揮し、また、保温効果のある材質を使用し、また、水との比重、適度な加重への追従性と弾力を考慮した材料を使用することで上記の課題を解決する。【選択図】図４
2010279658.tif 000002
【特許請求の範囲】
【請求項１】
浴槽に入れることで浴槽に溜める水の節水を目的とし、適度な弾力と加重に追従する材料で保温性に優れたものを使用することで、同時に、座り心地、高齢者また体の不自由な人の為の補助器具、保温器具、風呂の湯を保温する器具にもなる節水の為の風呂用座布団。
【発明の詳細な説明】
【技術分野】
【０００１】本発明は浴槽の中に入れて使用することを基本とするものである。
【背景技術】
【０００２】トイレタンクの節水器具は幾つもあるが、浴槽用の節水器具は無いようである。
【発明の概要】
【発明が解決しようとする課題】
【０００３】  私達日本人は、兎角湯船に浸かる習慣があるので浴槽に溜める水の量は相当な量になる。この毎日のように使用する相当量の水を節水することが本発明の解決しようとする課題である。【０００４】  また、同時に、座り心地、高齢者また体の不自由な人の為の補助器具や本発明自体が保温器具になるもの、風呂の湯を保温するものを提供する。
【課題を解決するための手段】
【０００５】  本発明による上記課題の解決手段は、以下に述べる器具による。
ゴム又はビニールのような袋状のものの中に充填材を入れたもの図１（この袋状のものと充填材はそこに加えられた加重に対してその形が追従するもの）
または、袋状の外見と充填材の中身とを分けずに一体となったもの図２（この材質も加えられた加重に対してその形が追従するもの）
この図１図２の器具を図３〜図８のように浴槽に入れ、使用する。
（図１図２の材は保温効果のあるものが望ましい）
【発明の効果】
【０００６】  図１図２のようなクッション状のものを浴槽に入れることで、その体積分の節水効果を得ることが出来る。【０００７】  図５のように小さな形状のものにすると、風呂の湯で温まったものを湯たんぽ代わりに使用することも出来る。【０００８】  図７のように人が乗らなければ湯に浮くものとすれば、風呂の湯が冷めにくくなる効果も得ることが出来る。【０００９】  弾力に配慮することで、風呂の中での座り心地を確保することが出来る。又、やはり、弾力によっては、高齢者や体の不自由な人の体を固定する役もなす。
【図面の簡単な説明】
【００１０】
【図１】袋状の材に充填材を入れた本発明品概念図
【図２】単一の材料で作る本発明品概念図
【図３】体積の大きい本発明品を一つ浴槽に入れた概念図
【図４】図３の本発明品に人の荷重が加わった時の概念図
【図５】体積の小さな本発明品をいくつか浴槽に入れた概念図
【図６】図６の本発明品に人の加重が加わった時の概念図
【図７】水より比重の軽い本発明品を湯船に浮かべた時の概念図
【図８】図７の本発明品に人の加重が加わった時の概念図
【発明を実施するための形態】
【００１１】  用途に応じた弾力と加重に追従し、快適な座り心地を得ることの出来る材料で、かつ風呂の湯を冷まさないように保温性に優れた材料を使用し、十分に節水効果の得られる体積を確保することの出来る形状、形態。
【実施例】
【００１２】  実施例としては、本発明品を湯を張った浴槽に入れるだけである。
【産業上の利用可能性】
【００１３】  節水効果を得るだけでなく図７のように風呂に張った湯を冷めにくくするなど、エネルギー、資源等、環境における影響も少なくなく、これからの産業には欠かせない部分も補う。その結果光熱費の軽減にもつながる。
【符号の説明】
【００１４】１  本発明の充填材を入れる袋状の表皮
２  充填材
３  図１のように外見と中身を分けることなく単一の材料で作る本発明
４  浴槽
５  本発明品
６  水面
７  人（加わる荷重を示す）
【図１】
2010279658.tif 000003
【図２】
2010279658.tif 000004
【図３】
2010279658.tif 000005
【図４】
2010279658.tif 000006
【図５】
2010279658.tif 000007
【図６】
2010279658.tif 000008
【図７】
2010279658.tif 000009
【図８】
2010279658.tif 000010